(57)【要約】【課題】  感電等の電気事故を防止できるアース付きのランプ装置およびこのランプ装置を装着する照明器具を提供する。【解決手段】  ランプ装置１は、底板１１を有する中空の口金本体６、底板１１に外方に突出するように設けられた接地用接触子７および接地用接触子７と異なる突出長Ｌ１で底板１１から外方に突出し底板１１に設けられた一対の給電用接触子８，８を有し、接地用接触子７が接地された状態で一対の給電用接触子８，８が外部電源に接続される口金体２と、接地用接触子７が接続される接地部２３と、一対の入力部２４，２４に一対の給電用接触子８，８がそれぞれ接続され、一対の入力部２４，２４に供給された外部電源に応じて動作し、所定の電力を出力する点灯装置３と、発光素子３７が点灯装置３により点灯される発光体４と、を具備している。【選択図】図１
2014049188.tif 000002
【特許請求の範囲】
【請求項１】
底板を有する中空の口金本体、前記底板に外方に突出するように設けられた接地用接触子およびこの接地用接触子と異なる突出長で前記底板から外方に突出し前記底板に設けられた一対の給電用接触子を有し、前記接地用接触子が接地された状態で前記一対の給電用接触子が外部電源に接続される口金体と;
前記接地用接触子に電気接続される接地部と；
一対の入力部を有し、この一対の入力部に前記一対の給電用接触子がそれぞれ接続され、前記一対の入力部に供給された外部電源に応じて動作し、所定の電力を出力する点灯装置と；
発光素子を有し、この発光素子が点灯装置により点灯される発光体と；
を具備していることを特徴とするランプ装置。
【請求項２】
前記口金体は、前記口金本体が透光性の外囲器に取り付けられており、前記口金本体に前記点灯装置を収納しているとともに、前記発光素子の放射光が前記外囲器から出射されるように前記発光体を配設していることを特徴とする請求項１記載のランプ装置。
【請求項３】
前記口金体は、前記口金本体に透光性を有する筒状の外囲器が取り付けられており、前記外囲器は、前記点灯装置を収納し、前記発光体を配設していることを特徴とする請求項１記載のランプ装置。
【請求項４】
接地用受端子および一対の給電用受端子を有し、前記接地用受端子に前記口金体の接地用接触子が電気接続された状態で前記一対の給電用受端子に前記口金体の一対の給電用接触子が電気接続されるように形成されたソケットと；
このソケットを配設している器具本体と；
前記ソケットに取り付けられた請求項１ないし３いずれか一記載のランプ装置と；
を具備していることを特徴とする照明器具。
【請求項５】
前記ランプ装置は、一対の給電用接触子が接地用接触子よりも小さい突出長で底板から外方に突出する前記口金体を有し、前記ソケットは、前記一対の給電用接触子が前記接地用受端子に接触することなく前記一対の給電用接触子および前記接地用接触子を案内する案内手段を備え、前記ランプ装置が回転されることにより、前記一対の給電用接触子が前記一対の給電用受端子に接触して電気接続するように形成されていることを特徴とする請求４記載の照明器具。
【発明の詳細な説明】
【技術分野】
【０００１】
本発明の実施形態は、アース付きの口金を有するランプ装置およびこのランプ装置を装着する照明器具に関する。
【背景技術】
【０００２】
光源としてＬＥＤを用いたランプ装置は、ＬＥＤを点灯する点灯装置を内蔵している。このランプ装置には、例えば、ＩＥＣ（国際電気標準会議）で規格化されたＧＸ５３形口金を用いたものがあり、点灯装置に電気的に接続されるランプピンがＧＸ５３形口金の上面から垂直に突出している。そして、電源用の一対のランプピンの他に、アース用のランプピンを設けているものがある（例えば特許文献１参照。）。アース用のランプピンは、例えば点灯回路の回路基板に接続されている。
【０００３】
また、ランプ装置には、長尺の基板にその長手方向に沿って複数個のＬＥＤが実装されたＬＥＤモジュール（発光体）を透光性の筒体（外殻）に収容した蛍光灯型のものがある。筒体の長手方向両端には、一対の電源ピン（口金ピン）を有する電源用口金と、アースピン（アース端子）を有する接地用口金とが接続されている。アースピンは、アルミニウムなどの導電性金属からなるヒートシンクに接続されている（例えば特許文献２参照。）。当該ランプ装置は、ヒートシンクが接地されて電位を持たないので、ＬＥＤモジュールや点灯装置の漏電等によりヒートシンクに電流が流れても、ヒートシンクに触れても感電することがないものである。
【先行技術文献】
【特許文献】
【０００４】
【特許文献１】特開２０１２−１０９１５６号公報（第６頁、第１〜４図）
【特許文献２】特開２０１２−９３７９号公報（第６−７頁、第５図）
【発明の概要】
【発明が解決しようとする課題】
【０００５】
ＧＸ５３形口金を有するランプ装置は、電源用の一対のランプピンと、アース用のランプピンとがＧＸ５３形口金用のソケットに挿入される。このとき、アース用のランプピンがソケットのアース端子に完全に接触して接地される前に、電源用の一対のランプピンがソケットの給電端子に接触することがある。そして、ソケットが給電された状態で、ランプ装置の点灯装置から金属製のケースに漏電していると、ケースに触れて感電するおそれがある。
【０００６】
また、蛍光灯型のランプ装置は、電源用口金および接地用口金がほぼ同時にソケットに取り付けられるが、ソケットが給電された状態において、アースピンが接地される前に、一対の電源ピンが給電されることがある。この場合、ＬＥＤモジュール（発光体）や点灯装置が漏電していると、アースピン、金属製の電源用口金または接地用口金に触れると感電するおそれがある。
【０００７】
本発明の実施形態は、感電等の電気事故を防止できるアース付きのランプ装置およびこのランプ装置を装着する照明器具を提供することを目的とする。
【課題を解決するための手段】
【０００８】
実施形態のランプ装置は、口金体、接地部、点灯装置および発光体を具備して構成される。
【０００９】
口金体は、口金本体、接地用接触子および一対の給電用接触子を有して形成される。口金本体は、底板を有する中空に形成される。接地用接触子は、口金本体の底板に外方に突出するように設けられる。そして、一対の給電用接触子は、口金本体の底板に設けられ、底板から外方に接地用接触子と異なる突出長で突出している。そして、一対の給電用接触子は、接地用接触子が接地された状態で外部電源に接続される。
【００１０】
接地部は、口金体の接地用接触子が接続される。
【００１１】
点灯装置は、一対の入力部を有してなり、この一対の入力部に口金体の一対の給電用接触子がそれぞれ接続される。そして、点灯装置は、一対の入力部に供給された外部電源に応じて動作し、所定の電力を出力するように形成される。
【００１２】
発光体は、その発光素子が点灯装置により点灯される。
【発明の効果】
【００１３】
本発明の実施形態によれば、口金体の一対の給電用接触子は、接地用接触子と異なる突出長で口金本体の底板から外方に突出しているので、口金体がソケットに取り付けられるときに、接地用接触子が接地された状態で一対の給電用接触子に給電させることができ、これにより、点灯装置の漏電等による電気事故が防止できることが期待できる。
【図面の簡単な説明】
【００１４】
【図１】本発明の第１の実施形態を示すランプ装置の概略縦断面図である。
【図２】同上、ランプ装置の概略下面図である。
【図３】同上、外囲器を取り付ける前のランプ装置の概略上面図である。
【図４】同上、口金体の概略上面図である。
【図５】同上、ランプ装置が着脱される照明器具の一部切り欠き概略側面図である。
【図６】同上、ソケットであり、（ａ）は概略上面図、（ｂ）は概略下面図である。
【図７】同上、ソケットの概略側断面図である。
【図８】同上、ソケットへのランプ装置の取付を示し、（ａ）はソケットにランプ装置が挿入される状態の説明図、（ｂ）はソケットにランプ装置が取り付けられる状態の説明図である。
【図９】本発明の第２の実施形態を示すランプ装置の概略上面図である。
【図１０】同上、ランプ装置の側面を示し、（ａ）は概略左側面図、（ｂ）は概略右側面図である。
【図１１】同上、図１０（ａ）のＡ−Ａ矢視方向の概略正面断面図である。
【図１２】同上、口金体を取付ける前のランプ装置の概略左側面図である。
【図１３】同上、ランプ装置が着脱される照明器具の概略正面断面図である。
【図１４】同上、電源ソケットの概略正面図である。
【図１５】同上、図１４のＢ−Ｂ矢視方向の電源ソケットの概略側断面図である。
【図１６】同上、電源ソケットの回転体であり、（ａ）は概略上面図、（ｂ）は概略正面図、（ｃ）は概略側面図である。
【図１７】同上、電源ソケットにランプ装置が挿入される状態の説明図である。
【図１８】同上、電源ソケットにランプ装置が取り付けられる状態の説明図である。
【図１９】同上、図１８のＣ−Ｃ矢視方向の電源ソケットの概略側断面図である。
【図２０】同上、保持ソケットの概略正面図である。
【図２１】同上、図２０のＤ−Ｄ矢視方向の保持ソケットの概略側断面図である。
【図２２】同上、保持ソケットへのランプ装置の取付を示し、（ａ）は保持ソケットにランプ装置が挿入される状態の説明図、（ｂ）は保持ソケットにランプ装置が取り付けられる状態の説明図である。
【発明を実施するための形態】
【００１５】
以下、本発明の一実施の形態について、図面を参照して説明する。まず、本発明の第１の実施形態について説明する。
【００１６】
本実施形態のランプ装置１は、端子タイプの口金を有するＬＥＤ電球であり、図１ないし図４に示すように構成される。図１において、ランプ装置１は、口金体２、点灯装置３、発光体４および外囲器５を有して形成されている。点灯装置３に、接地部としての接地端子２３が設けられている。
【００１７】
口金体２は、口金本体６、接地用接触子７および一対の給電用接触子８，８を有して形成されている。口金本体６は、電気絶縁性の合成樹脂例えばポリブチレンテレフタレート（ＰＢＴ）樹脂からなり、口金部９および取付部１０に形成されている。口金部９は、一端側９ａに底板１１を有する円筒状に形成され、取付部１０は、口金部９の他端側９ｂに略椀形に形成されている。口金部９内は、円柱状の中空を有し、取付部１０内は、口金部９内に連通している。
【００１８】
接地用接触子７および一対の給電用接触子８，８は、口金部９の底板１１に設けられている。すなわち、接地用接触子７および一対の給電用接触子８，８は、それぞれ底板１１に形成された図示しない貫通孔に底板１１の外方側から圧入されて設けられ、底板１１から口金部９内および底板１１の外方にそれぞれ突出するように設けられている。
【００１９】
接地用接触子７は、底板１１の中心において、底板１１に対して直角に起立して設けられている。一対の給電用接触子８，８は、底板１１に対して直角に起立して設けられているとともに、接地用接触子７を中心として互いに１８０°回転対称となるように設けられている。すなわち、一対の給電用接触子８，８は、接地用接触子７を中心とする同心円上において、接地用接触子７を挟むように設けられている。
【００２０】
また、一対の給電用接触子８，８は、接地用接触子７と異なる突出長Ｌ１で底板１１に設けられている。すなわち、一対の給電用接触子８，８の底板１１からの突出長Ｌ１と、接地用接触子７の底板１１からの突出長Ｌ２とが異なるように、接地用接触子７および一対の給電用接触子８，８が底板１１に設けられている。本実施形態では、前記突出長Ｌ１が前記突出長Ｌ２よりも小さくなるように、一対の給電用接触子８，８を接地用接触子７よりも底板１１から小さく外方に突出させている。
【００２１】
接地用接触子７は、導電性の金属例えば銅（Ｃｕ）からなり、柱状例えば円柱状に形成されている。接地用接触子７の端面７ａは、平面となっている。また、一対の給電用接触子８，８は、導電性の金属例えば真鍮からなり、所定の厚さ（例えば１〜３ｍｍ）を有する円弧状の曲板部８ａおよび接触板部８ｂに形成されている。接触板部８ｂは、曲板部８ａの先端において、曲板部８ａの円弧状の外側に曲板部８ａに対して直角となるように形成され、図２に示すように、平面であって、一辺が円弧状である略長方形に形成されている。
【００２２】
そして、曲板部８ａ，８ａは、その円弧状の内側が互いに対向するようにして、底板１１に設けられている。すなわち、底板１１には、図示しない一対の円弧状の貫通孔が形成されており、この一対の貫通孔に曲板部８ａ，８ａがそれぞれ圧入されている。接触板部８ｂ，８ｂは、それぞれの曲板部８ａから互いに反対方向に突出している。
【００２３】
図１において、底板１１側の口金部９内には、電気絶縁性を有するセメント１２が充填されている。接地用接触子７および一対の給電用接触子８，８は、口金部９内においてセメント１２に固定され、これにより、底板１１に強固に固定されている。この結果、ランプ装置１がソケットに繰り返し着脱されるものであっても、接地用接触子７および一対の給電用接触子８，８のガタツキ等の防止が図られている。
【００２４】
セメント１２による上記の固定は、接地用接触子７および一対の給電用接触子８，８を底板１１に完全に又は信頼性よく固定するものである。なお、接地用接触子７および一対の給電用接触子８，８の口金部９内における固定は、セメント１２以外の固定手段によってもよい。また、接地用接触子７および一対の給電用接触子８，８は、底板１１の貫通孔に圧入して設けられても、実用上、ガタツキ等が生じにくいものである。したがって、セメント１２を設けなくてもよい。
【００２５】
こうして、口金本体６は、その口金部９の底板１１に互いに異なる突出長Ｌ１，Ｌ２で突出するようにして、一対の給電用接触子８，８および接地用接触子７を設けている。
【００２６】
そして、口金本体６の取付部１０は、所定の厚さ（例えば１．５〜５ｍｍ）を有し、外面１０ａおよび内面１０ｂがそれぞれ曲面に形成され、開放端側に環状壁１３が形成されている。この環状壁１３の内側の端面１０ｄは、環状の平坦な取付け面１４となっている。この取付け面１４に放熱板１５が取り付けられている。そして、取付け面１４から環状壁１３に向かって環状溝１６が形成されている。
【００２７】
取付部１０の内面１０ｂには、図４に示すように、ダボ１７および熱伝導フィン１８が設けられている。ダボ１７は、その上面１７ａが取付け面１４（端面１０ｄ）と同一面となり、図４中、取付け面１４に対して直角に垂下する略蒲鉾形（半円柱形）に形成されている。ダボ１７の上面１７ａには、放熱板１５を取り付けるためのねじ孔１９が形成されている。そして、ダボ１７は、取付部１０の中心１０ｃに対して、内面１０ｂの周方向に１２０°間隔で３個が設けられている。
【００２８】
熱伝導フィン１８は、複数個からなり、例えば１〜５ｍｍの厚さを有する板状に形成されている。そして、熱伝導フィン１８は、取付部１０の拡開方向に沿うとともに内面１０ｂから取付部１０の内方に向かって突出するように形成されている。ここで、熱伝導フィン１８は、取付け面１４（端面１０ｄ）から口金部９の開口端９ｃの近辺に至る内面１０ｂに設けられ、上側端面（上面）１８ａが取付け面１４（端面１０ｄ）と同一面となり、先端側端面（側端面）１８ｂが取付部１０の拡開方向に起立するように設けられている。
【００２９】
また、複数個の熱伝導フィン１８は、取付部１０の内面１０ｂの内周方向に等間隔ここでは６０°間隔に設けられているとともに、取付部１０の中心１０ｃに対して放射状に設けられている。
【００３０】
そして、口金部９の内面９ｂには、一対の凹溝２０，２０が互いに正対するようにして形成されている。一対の凹溝２０，２０は、図１に示すように、口金部９の開口端９ｃから底板１１側に向かって直線状に所定長で形成されている。そして、一対の凹溝２０，２０には、点灯装置３の回路基板２１が挿入されて取り付けられている。点灯装置３は、口金部９の内部空間および熱伝導フィン１８の先端側端面（側端面）１８ｂで包囲される取付部１０の空間内に収納されている。
【００３１】
点灯装置３は、回路基板２１およびこの回路基板２１に実装された回路部品２２を有して形成されている。回路部品２２は、多数の電子部品やトランスなどからなり、外部電源に応じて動作して所定の電力を出力し、後述する発光体４を点灯する既存の点灯回路を構成している。回路基板２１は、例えばガラスエポキシ材の合成樹脂板からなり、長方形に形成されている。そして、回路基板２１は、口金部９の一対の凹部２０，２０に圧入されるようにして挿入されて、口金本体６内に取り付けられている。
【００３２】
回路基板２１には、接地部としての接地端子２３および一対の入力部としての一対の入力端子２４，２４が設けられている。また、回路基板２１には、出力用コネクタ２５が設けられている。
【００３３】
そして、接地端子２３には、接地用接触子７に接続しているリード線２６がはんだ付けにより接続されている。また、一対の入力端子２４，２４には、一対の給電用接触子８，８にそれぞれ接続しているリード線２７，２７がそれぞれはんだ付けにより接続されている。リード線２６は、接地用接触子７に例えば溶接により接続され、リード線２６，２６は、一対の給電用接触子８，８にそれぞれ例えば溶接により接続されている。
【００３４】
一対の給電用接触子８，８に外部電源（例えばＡＣ１００Ｖ）が入力すると、リード線２７，２７を介して外部電源が一対の入力端子２４，２４に供給される。点灯部品２２により構成された点灯回路は、外部電源に応じて動作し、所定の電力（電流）をコネクタ２５に出力する。コネクタ２５に出力された電力（電流）は、コネクタ２８，２９付きの出力線３０により発光体４に供給される。すなわち、点灯装置３のコネクタ２５に出力線３０のコネクタ２８が接続され、発光体４のコネクタ３１に出力線３０のコネクタ２９が接続されている。
【００３５】
発光体４は、放熱板１５上に設けられている。この放熱板１５は、高熱伝導率を有する金属材料例えばアルミニウム（Ａｌ）からなり、外周側に切り欠き部３２を有する円盤状に形成されている。放熱板１５の厚さは、２〜８ｍｍ例えば４ｍｍである。放熱板１５には、その外周側に取付部１０のダボ１７のねじ孔１９に対応した貫通孔３３が形成されている。この貫通孔３３に挿入されたねじ３４がダボ１７のねじ孔１９に螺着されていて、図３に示すように、放熱板１５は、口金部１０の取付け面１４（端面１０ｄ）に固定されている。このとき、放熱板１５は、熱伝導フィン１８の上側端面１８ａに接触し、取付部１０の開口は、放熱板１５の切り欠き部３２を除き、放熱板１５により塞がれている。
【００３６】
発光体４は、複数個のねじ３５により、放熱板１５の上面１５ａの中央部に取り付けられている。発光体４は、実装基板３６、発光素子としてのＬＥＤベアチップ３７および封止樹脂３８を有して形成されている。実装基板３６は、例えば厚さ１．２ｍｍのアルミニウム（Ａｌ）板からなり、外形が例えば正四角形に形成されている。ＬＥＤベアチップ３７は、例えば青色光を発光するものであり、ＣＯＢ（Chip  On  board）方式によって実装基板３６に実装されている。
【００３７】
すなわち、発光体４は、複数個のＬＥＤベアチップ３７が実装基板３６の一面３６ａ側に図示しない高熱伝導性を有する絶縁層を介してマトリックス状に実装され、ＬＥＤベアチップ３７を包囲して例えばシリコーン樹脂からなる枠部３９が設けられている。そして、枠部３９内にＬＥＤベアチップ３７を覆って封止する例えばシリコーン樹脂などの封止樹脂３８が充填されている。封止樹脂３８には、ＬＥＤベアチップ３７からの青色光の一部により励起されて黄色光を放射する図示しない黄色蛍光体が混入されている。
【００３８】
なお、実装基板３６は、ガラスエポキシ材や紙フェノール材などの樹脂材で形成されてもよく、そのものが絶縁性を有するセラミック板などで形成してもよい。
【００３９】
実装基板３６の一面３６ａ側には、コネクタ３１が実装されている。このコネクタ３１は、図示しない配線パターンによりＬＥＤベアチップ３７に電気接続されている。複数個のＬＥＤベアチップ３７は、例えば列毎に、直列接続されている。そして、コネクタ３１は、リード線３０により、点灯装置３に接続されている。
【００４０】
ＬＥＤベアチップ３７は、点灯装置３から所定の電力（電流）が供給されると点灯（発光）する。発光体４は、封止樹脂３８の表面が発光面となり、この発光面から青色光および黄色光が混合した白色光を放射する。この白色光は、外囲器５を透過して外部空間に出射される。
【００４１】
図１において、外囲器５は、グローブに形成され、発光体４を覆うように口金本体６の取付部１０に取り付けられている。外囲器５は、透光性の樹脂材料例えばポリカーボネート（ＰＣ）樹脂により、外形が例えば略半球形に形成されている。そして、外囲器５の開口端部４０は、取付部１０の環状壁１３と同等の外径を有している。
【００４２】
外囲器５は、開口端部４０の端面４０ａが環状壁１３の端面（上面）に密接するように、開口端面４０ａから延在した係止片４１の係止爪４１ａが取付部１０の環状溝１６において環状壁１３に係止している。係止片４１は、環状溝１６の周方向に沿い、等間隔に複数個例えば４個が設けられている。
【００４３】
なお、外囲器５は、透光性の合成樹脂に限らず、透光性のガラスで成形してもよい。また、外囲器５の外形形状は、半球状に形成しているが、これに限らず、従来の一般白熱電球に近似した形状など、所望の形状に形成されればよい。
【００４４】
上述したように、端子タイプの口金体２を具備するランプ装置１が形成されている。本実施形態のランプ装置１は、一実施形態として、図６および図７に示す専用のソケット４２に着脱される。このソケット４２は、天井や壁などの造営物に単独で取り付けてもよいが、照明器具を構成する一要素として用いられる。
【００４５】
図５に、本実施形態の照明器具４３を示す。照明器具４３は、天井４４に直付けされる直付け形照明器具であり、ランプ装置１、ソケット４２および器具本体４５を有して形成されている。ソケット４２は、ソケット取付台４６を介して器具本体４５に取り付けられている。
【００４６】
器具本体４５は、一端側４５ｃに天板４７、他端側４５ｄに照射開口４８を有してなり、一端側４５ｃから他端側４５ｄに連続的に拡開する円筒状に成形されている。器具本体４５は、例えばアルミニウム（Ａｌ）からなり、その厚さが１〜２ｍｍであり、ソケット４２に取り付けられるランプ装置１を内包する大きさに形成されている。そして、器具本体４５には、外面４５ａおよび内面４５ｂに図示しない化粧用の塗膜などが形成されている。
【００４７】
ソケット取付台４６は、例えば１枚の正方形の金属板を折曲して、左右両側に固定板部４６ａ，４６ａを有する断面コ字形に形成され、平面状の頂板部４６ｂがソケット４２の外形よりも大きく形成されている。金属板として、鉄板やアルミニウム板などが用いられる。そして、ソケット取付台４６は、その固定板部４６ａ，４６ａが例えば溶接により器具本体４５の天板４７の内面４７ｂに取り付けられている。
【００４８】
そして、ソケット取付台４６の頂板部４６ｂに、複数個のねじ４９によりソケット４２が取り付けられている。ソケット４２は、ソケット取付台４６によって器具本体４５内の所定位置に配設されている。頂板部４９ｂには、ねじ４９を挿通する挿通孔５０（図７に示す。）およびソケット４２から導出された電源コード５１を挿通する挿通孔５２（図７に示す。）が形成されている。
【００４９】
天板４７には、電源コード５１を挿通させるための挿通孔５３および木ネジ５４を通すための複数個の通孔５５が形成されている。また、天井４４には、電源コード５１を引き出すための貫通孔５６が設けられている。そして、器具本体４５は、通孔５５を通した木ネジ５４が天井４４にねじ込まれて、天井４４に取り付けられている。この状態で、ランプ装置１は、ソケット４２に着脱されている。
【００５０】
なお、本実施形態の照明器具は、直付け形に限らず、ダウンライトなどの埋め込み形や吊り下げ形の照明器具であってもよい。
【００５１】
ソケット４２は、全体として円柱状に形成され、図７に示すように、３パーツを組み付けている。すなわち、ソケット４２は、有底の外筒体５７と、この外筒体５７内に収納される有底の内筒体５８と、外筒体５７および内筒体５８を固定して一体化させる固定体５９とを有してなる。外筒体５７、内筒体５８および固定体５９は、それぞれ電気絶縁性を有する合成樹脂例えばポリブチレンテレフタレート（ＰＢＴ）樹脂により成形されている。
【００５２】
外筒体５７は、内筒体５８を収納するものであり、また、ランプ装置１の接地用接触子７および一対の給電用接触子８，８を挿入して外筒体５７内に案内するものである。内筒体５８は、接地用接触子７に接触して電気接続される接地用受端子６０と、一対の給電用接触子８，８に接触して電気接続される一対の給電用受端子６１，６１とを取り付けるものである。また、固定体５９は、外筒体５７および内筒体５８を固定し、外筒体５７、内筒体５８および固定体５９を一体化させるものであり、電源コード５１を引き込むとともに、ソケット４２をソケット取付台４６に取り付けるものである。
【００５３】
外筒体５７は、円盤状の底板部６２および環状壁部６３を有する円筒状に形成されている。そして、図６（ｂ）に示すように、底板部６２には、それぞれ案内手段としての挿入孔６４と、一対の挿入孔６５，６５および案内孔６６，６６とが形成されている。挿入孔６４、一対の挿入孔６５，６５および案内孔６６，６６は、底板部６２の外面６２ａから内面６２ｂに貫通している。
【００５４】
挿入孔６４は、底板部６２の中央部に形成され、ランプ装置１の接地用接触子７を挿入可能に接地用接触子７よりも幾分大きい内径を有する円柱状に形成されている。また、一対の挿入孔６５，６５は、挿入孔６４に対してランプ装置１の一対の給電用接触子８，８を挿入可能な位置に形成され、給電用接触子８の接触板部８ｂを挿入可能に接触板部８ｂよりも幾分大きい内形を有する略角柱状に形成されている。
【００５５】
一対の案内孔６６，６６は、一対の挿入孔６５，６５にそれぞれ連通して形成されている。そして、案内孔６６は、給電用接触子８の曲板部８ａを挿通可能に曲板部８ａの厚さよりも幾分大きい幅を有する円弧状に形成されているとともに、曲板部８ａが挿入孔６４を中心として挿入孔６５から例えば右回りに９０°回転可能に形成されている。厳密に言えば、前記９０°よりも若干大きく回転可能に形成されている。
【００５６】
すなわち、ランプ装置１の接地用接触子７および一対の給電用接触子８，８が外筒体５７の挿入孔６４および一対の挿入孔６５，６５に挿入された後に、ランプ装置１を図６（ｂ）中右回りに回転させると、接地用接触子７は、挿入孔６４において右回りに回転し、一対の給電用接触子８，８は、一対の案内孔６６，６６に沿って右回りに移動する。このとき、一対の給電用接触子８，８の曲板部８ａ，８ａは、それぞれ案内孔６６，６６を挿通して案内孔６６，６６に沿って移動し、一対の給電用接触子８，８の接触板部８ｂ，８ｂは、それぞれ底板部６２の内面６２ｂに接触または内面６２ｂから幾分離れて外筒体５７の内部空間で右回りに移動する。
【００５７】
そして、一対の給電用接触子８，８の曲板部８ａ，８ａが案内孔６６，６６の内壁に当接すると、ランプ装置１の右回りの回転が阻止される。一対の給電用接触子８，８は、それぞれ挿入孔６５，６５の位置から右回りに９０°回転して位置する。このように、一対の案内孔６６，６６は、ランプ装置１を右回りに９０°回転させる。
【００５８】
そして、ランプ装置１の接地用接触子７および一対の給電用接触子８，８が外筒体５７の挿入孔６４および一対の挿入孔６５，６５に挿入された後に、ランプ装置１を図６（ｂ）中左回りに回転させると、一対の給電用接触子８，８の曲板部８ａ，８ａが挿入孔６５，６５の内壁に当接し、ランプ装置１の左回りの回転が阻止される。このように、一対の挿入孔６５，６５は、一対の給電用接触子８，８の接触板部８ｂ，８ｂを外筒体５７内に挿入させるとともに、ランプ装置１の左回りを規制している。
【００５９】
図７において、内筒体５８は、円盤状の底板部６７および環状壁部６８を有する円筒状に形成されている。そして、底板部６７および環状壁部６８は、環状壁部６８が外筒体５７の環状壁部６３に密接する大きさに形成されている。内筒体５８は、環状壁部６８および外筒体５７の環状壁部６３のそれぞれの端面が同一面状となるように、外筒体５７内に嵌め込まれている。そして、外筒体５７および内筒体５８は、それぞれ皿ネジ７０により固定体５９に取り付けられている。すなわち、固定体５９には、皿ネジ７０を挿通する挿通孔７１が形成されておりこの挿通孔７１を通した皿ネジ７０が外筒体５７のねじ孔７２および内筒体５８のねじ孔７３にそれぞれねじ込まれている。皿ネジ７０は、図６（ａ）に示すように、固定体５９の周方向で９０°間隔で設けられ、外筒体５７、内筒体５８および固定体５９を一体化している。
【００６０】
図７において、外筒体５７内の底板部６２側に、接地用受端子６０および一対の給電用受端子６１，６１の配設空間６９が形成されている。内筒体５８の底板部６７には、接地用受端子６０を挿通する挿通孔７３および一対の給電用受端子６１，６１をそれぞれ挿通する挿通孔７４，７４が設けられている。そして、接地用受端子６０および一対の給電用受端子６１，６１は、それぞれ内筒体５８の固定体５９側において、底板部６７にねじ７５により固定されている。接地用受端子６０および一対の給電用受端子６１，６１には、それぞれねじ７５を挿通する符号を付さない挿通孔が形成され、底板部６７には、ねじ７５の不図示のねじ孔が形成されている。
【００６１】
接地用受端子６０および一対の給電用受端子６１，６１は、それぞれ中間が折曲された導電性を有する金属板例えば銅板や真鍮板からなり、弾性を有するように形成されている。接地用受端子６０は、その先端部６０ａが外筒体５７の底板部６２側を向いており、ランプ装置１の接地用接触子７が当接すると、弾性変形し、弾性復帰力により接地用接触子７と接触する。接地用受端子６０の先端部６０ａは、平面に形成されており、接地用接触子７と面接触する。
【００６２】
また、一対の給電用受端子６１，６１は、それらの先端部６１ａ，６１ａが外筒体５７の底板部６２側を向いており、ランプ装置１の一対の給電用接触子８，８がそれぞれ当接すると、弾性変形し、弾性復帰力により給電用接触子８，８とそれぞれ接触する。一対の給電用受端子６１，６１の先端部６１ａ，６１ａは、それぞれ平面に形成されており、給電用接触子８，８と面接触する。
【００６３】
そして、接地用受端子６０は、その先端部６０ａが外筒体５７の底板部６２に形成された挿入孔６４に正対するように設けられている。また、一対の給電用受端子６１，６１は、それらの先端部６１ａ，６１ａが底板部６２に形成された一対の挿入孔６５，６５に対して、図６（ｂ）中右回りに９０°回転させた位置となるように設けられている。ランプ装置１の接地用接触子７および一対の給電用接触子８，８が外筒体５７の挿入孔６４および一対の挿入孔６５，６５に挿入されると、図８（ａ）に示すように、ランプ装置１の接地用接触子７とソケット４２の接地用受端子６０とが接触する。そして、ランプ装置１を図８（ａ）中右回りに９０°回転させると、図８（ｂ）に示すように、ランプ装置１の接地用接触子７とソケット４２の接地用受端子６０とが接触している状態で、ランプ装置１の一対の給電用接触子８，８とソケット４２の一対の給電用受端子６１，６１とがそれぞれ接触する。
【００６４】
図７において、接地用受端子６０および一対の給電用受端子６１，６１には、それぞれ電源コード５１のアース線７６および一対の電源線７７，７７が例えば溶接により接続されている。固定体５９には、不図示の貫通孔が形成され、この貫通孔に電源コード５１を挿通してブッシング７８が配設されている。固定体５９は、ねじ４９によりソケット取付台４６に取り付けられている。図６（ａ）に示すように、固定体５９は、ねじ４９がねじ込まれるねじ孔７９が周方向に９０°間隔で設けられている。
【００６５】
ソケット４２は、上述したように形成され、固定体５９がソケット取付台４６に取り付けられることにより、ソケット取付台４６に固定されている。そして、ソケット４２にランプ装置１が着脱される。
【００６６】
次に、本発明の第１の実施形態の作用について述べる。
【００６７】
ランプ装置１は、図８（ａ）に示すように、その接地用接触子７および一対の給電用接触子８，８がソケット４２の挿入孔６４および一対の挿入孔６５，６５にそれぞれ挿入され、口金体２の底板１１がソケット４２の底板部６２に当接するまで挿入される。接地用接触子７は、挿入孔６４に正対して設けられている接地用受端子６０に当接する。接地用受端子６０は、弾性変形し、その弾性復帰力で接地用接触子７と接触する。これにより、ランプ装置１の接地用接触子７と、ソケット４２の接地用受端子６０とが電気接続し、点灯装置３の接地端子２３が電源コード５１のアース線７６に接続される。
【００６８】
そして、口金体２の底板１１をソケット４２の底板部６２に当接させている状態で、ランプ装置１を図８（ａ）中右回りに回転させる。一対の給電用接触子８，８の曲板部８ａ，８ａは、一対の案内孔６６，６６に沿って移動し、接触板部８ｂ，８ｂは、外筒体５７の配設空間６９内で移動する。また、接地用接触子７は、接地用受端子６０に当接した状態で右回りに回転する。
【００６９】
そして、曲板部８ａ，８ａが一対の案内孔６６，６６の内壁に当接すると、一対の給電用接触子８，８は、図８（ｂ）に示すように、一対の挿入孔６５，６５から右回りに９０°回転する。接触板部８ｂ，８ｂは、一対の給電用接触子８，８が９０°回転する手前から一対の給電用受端子６１，６１にそれぞれ当接する。接触板部８ｂ，８ｂは、一対の給電用接触子８，８が右回りに回転するにつれて、給電用受端子６１，６１を内筒体５８の底板部６７側に押し上げる。給電用受端子６１，６１は、弾性変形し、その弾性復帰力で給電用接触子８，８と接触する。ここで、接地用接触子７は、一対の給電用接触子８，８よりも口金体２の底板１１から大きく突出しているので、一対の給電用接触子８，８が一対の給電用受端子６１，６１に接触するときには、接触用受端子６０に接触している。こうして、ランプ装置１の一対の給電用接触子８，８と、ソケット４２の一対の給電用受端子６１，６１とが電気接続し、点灯装置３の一対の入力端子２４，２４が電源コード５１の電源線７７，７７に接続される。点灯装置３は、外部電源に応じて動作可能となる。
【００７０】
そして、点灯装置３の一対の入力端子２４，２４に外部電源が供給されたときに、点灯装置３の接地端子２３はアース線７６により接地されているので、点灯装置３が例えば漏電していると、アース線７６に電流が流れて、漏電ブレーカが遮断される。これにより、点灯装置３等における電気事故が防止される。
【００７１】
そして、一対の給電用接触子８，８の接触板部８ｂ，８ｂは、給電用受端子６１，６１からの弾性復帰力および接地用受端子６０の接地用接触子７に対する弾性復帰力により、給電用受端子６１，６１および外筒体５７の底板部６２に挟持される。これにより、ランプ装置１は、ソケット４２に固定されて取り付けられる。
【００７２】
本実施形態のランプ装置１によれば、口金体２の一対の給電用接触子８，８は、接地用接触子７よりも小さい突出長Ｌ２で口金本体６の底板１１から外方に突出しているので、口金体２がソケット４２に取り付けられるときに、接地用接触子７が接地された状態で一対の給電用接触子８，８に給電させることができ、これにより、点灯装置３の漏電等による電気事故を防止できるという効果を有する。
【００７３】
そして、本実施形態の照明器具４３によれば、接地用受端子６０にランプ装置１の接地用接触子７が電気接続された状態で、一対の給電用受端子６１，６１にランプ装置１の一対の給電用接触子８，８が電気接続されるように形成されたソケット４２を具備するので、ランプ装置１を接地した状態でソケット４２に取り付けることができ、当該取付時の感電や漏電等による電気事故を防止できるという効果を有する。
【００７４】
また、ランプ装置１の口金体２は、一対の給電用接触子８，８が接地用接触子７よりも小さい突出長Ｌ１で底板１１から外方に突出するように形成され、ソケット４２は、一対の給電用接触子８，８が接地用受端子７に接触することなく一対の給電用接触子７，７および接地用接触子８を案内する案内手段としての挿入孔６４、一対の挿入孔６５，６５および一対の案内孔６６，６６を備えて、ランプ装置１が右回りに回転されることにより、接地用受端子６０に接触用接触子８が電気接続された状態で、一対の給電用接触子７，７が一対の給電用受端子６１，６１に接触して電気接続するように形成されているので、ランプ装置１をソケット４２に取り付けるときに、接地用接触子７が一対の給電用受端子６１，６１に接触することを防止することができて感電等の電気事故を防止できるという効果を有する。
【００７５】
なお、本実施形態において、ランプ装置１は、一対の給電用接触子８，８の底板１１からの突出長Ｌ１よりも接地用接触子７の底板１１からの突出長Ｌ２が大きくなるように形成したが、逆に、接地用接触子７が一対の給電用接触子８，８よりも小さく突出するように形成されてもよい。ソケット４２は、接地用受端子６０にランプ装置１の接地用接触子７が電気接続された状態で、一対の給電用受端子６１，６１に一対の給電用接触子８，８が電気接続されるように形成されればよいものである。
【００７６】
また、ランプ装置１は、接地部としての接地端子２３を点灯装置３に設けたが、点灯装置３と別体に設けてもよい。この場合、点灯装置３は、接地端子２３と例えばリード線により電気接続される。
【００７７】
また、ランプ装置１は、外囲器５を設けて構成したが、外囲器５を設けず、例えば発光体４を封止するように、口金体２の取付部１０の取付け面１１に透光性樹脂を設けてもよい。
【００７８】
また、発光体４は、発光素子としてＬＥＤベアチップ３７を用いたが、これに限らず、有機エレクトロルミネセンス（ＥＬ）素子などを用いてもよい。
【００７９】
次に、本発明の第２の実施形態について説明する。
【００８０】
本実施形態のランプ装置８１は、直管形ＬＥＤランプであり、図９ないし図１２に示すように構成される。なお、図１と同一部分および同一部分に相当する部分には同一符号を付して説明は省略する。
【００８１】
ランプ装置８１は、図１１に示すように、口金体８２、保持体８３、外囲器８４、発光体８５および点灯装置８６を有して構成されている。接地部としての接地端子２３は、図１２に示すように、点灯装置８６に設けられている。
【００８２】
図９において、口金体８２は、底板８７を有する円筒に形成された口金本体８８、接地用接触子７および一対の給電用接触子８，８を有して形成されている。口金本体８８は、電気絶縁性の合成樹脂例えばポリブチレンテレフタレート（ＰＢＴ）樹脂からなる。接地用接触子７および一対の給電用接触子８，８は、図１において説明したランプ装置１と同様にして、底板８７に設けられている。すなわち、一対の給電用接触子８，８の底板８７からの突出長Ｌ１よりも接地用接触子７の底板８７からの突出長Ｌ２が大きくなるように、接地用接触子７および一対の給電用接触子８，８が設けられている。また、接地用接触子７および一対の給電用接触子８，８は、図１１に示すように、口金本体８８内に設けられたセメント１２により、底板８７に強固に取り付けられている。
【００８３】
そして、口金本体８８には、ねじ８９が取り付けられる円柱状の凹部９０付きのダボ９１が設けられている。このダボ９１は、底板８７に一対設けられている。
【００８４】
保持体８３は、底板９２を有する円筒状に形成された保持本体９３および１個の保持子９４を有して形成されている。保持本体９３は、電気絶縁性の合成樹脂例えばポリブチレンテレフタレート（ＰＢＴ）樹脂からなり、口金本体８８と同様に形成され、ねじ８９が取り付けられる円柱状の凹部９０付きのダボ９１が一対設けられている。
【００８５】
保持子９４は、電気絶縁性の合成樹脂例えばポリブチレンテレフタレート（ＰＢＴ）樹脂からなり、直方体に形成されている。そして、保持子９４は、底板９２の中央部に形成された不図示の貫通孔に圧入されて、底板９２の外方および内方にそれぞれ突出するように設けられている。また、保持子９４は、保持本体９３内に設けられたセメント１２により、底板９２に強固に取り付けられている。保持子９４は、図９に示すように、その長方形の端面９４ａの長手方向が口金体８２の接地用接触子７および一対の給電用接触子８，８の配設方向と平行となるように設けられている。
【００８６】
外囲器８４は、透光性を有する合成樹脂例えばアクリル樹脂からなり、口金体８２の口金本体８８および保持体８３の保持本体９３と同外径を有する長尺の円筒状に形成されている。そして、外囲器８４は、図１１に示すように、取付け体９５を収納し、この取付け体９５を介して口金体８２および保持体８３に挟み込まれるようにして取り付けられている。
【００８７】
取付け体９５は、軽量であって高熱伝導率を有する金属例えばアルミニウム（Ａｌ）からなり、外囲器８４と同等の長手寸法を有する略蒲鉾形に形成されている。すなわち、図１２に示すように、取付け体９５は、平面部９５ａ、外囲器８４の内面８４ｂに沿う円弧状面９５ｂおよび円弧状面９５ｂの頂点側に取付け体９５の長手方向に亘る凹溝９６を有する柱体に形成されている。凹溝９６には、正対する一対の取付溝９７，９７が長手方向に亘って形成されている。取付け体９５は、例えば押出成形により形成されている。
【００８８】
また、取付け体９５は、その長手方向の一方の端面９５ｃに、口金体８２のダボ９１に取り付けられるねじ８９がねじ込まれる一対のねじ孔９８，９８が形成されている。他方の不図示の端面９５ｄには、保持体８３のダボ９１に取り付けられるねじ８９がねじ込まれる一対のねじ孔９８，９８が形成されている。そして、取付け体９５は、その円弧状面９５ｂが外囲器８４の内面８４ｂに載置するように設けられている。
【００８９】
図１１において、取付け体９５は、口金体８２および保持体８３のそれぞれのダボ９１に挿入されたねじ８９が両端面９５ｃ，９５ｄに形成されたねじ孔９８に完全にねじ込まれる。これにより、取付け体９５は、口金体８２および保持体８３にそれぞれ取り付けられ、外囲器８４は、口金体８２および保持体８３に挟持されて固定されている。そして、取付け体９５は、図１０（ａ）に示すように、その上面部９５ａが口金体８２の接地用接触子７および一対の給電用接触子８，８の配設方向に沿うように設けられている。また、取付け体９５は、図１０（ｂ）に示すように、その上面部９５ａが保持体８３の保持子９４の長方形の端面９４ａの長手方向に沿うように設けられている。
【００９０】
なお、外囲器８４は、合成樹脂でなく、透光性のガラス例えばソーダ石灰ガラスで形成されてもよい。
【００９１】
図１１において、発光体８５は、実装基板９９および発光素子としてのＬＥＤ素子１００を有して形成されている。実装基板９９は、ガラスエポキシ材や紙フェノール材などの樹脂材により、長方形に形成されている。ＬＥＤ素子１００は、実装基板９９の一面９９ａに、長手方向に等間隔に設けられている。本実施形態では、複数個のＬＥＤ素子１００が直線上に１列に設けられ、図示しない配線パターンにより直列接続されている。ＬＥＤ素子１００は、パッケージ品であり、例えば白色光を放射するものが用いられている。
【００９２】
そして、発光体８５は、その実装基板９９が取付け体９５の上面部９５ａに図示しないねじにより取り付けられている。発光体８５は、図１２に示すように、実装基板９９の一面９９ａにコネクタ１０１が配設されている。このコネクタ１０１は、直列接続されたＬＥＤ素子１００に接続されている。コネクタ１０１は、両端にコネクタ１０２，１０３を有するリード線（出力線）１０４により点灯装置８６に接続されている。すなわち、リード線１０４のコネクタ１０２が発光体８５のコネクタ１０１に装着され、リード線１０４のコネクタ１０３が点灯装置８６の出力用のコネクタ１０５に装着されている。
【００９３】
点灯装置８６は、回路基板１０６およびこの回路基板１０６に実装された回路部品１０７を有して形成されている。回路部品１０７は、多数の電子部品やトランスなどからなり、外部電源に応じて動作して所定の電力を出力し、発光体８５のＬＥＤ素子１００を点灯する既存の点灯回路を構成している。回路基板１０６は、例えばガラスエポキシ材の合成樹脂板からなり、長方形に形成されている。そして、回路基板１０６は、取付け体９５の一対の取付溝９７，９７に挿入されて、凹溝９６内に配設されている。
【００９４】
そして、回路基板１０６には、接地部としての接地端子２３および一対の入力部としての一対の入力端子２４，２４がそれぞれ設けられている。また、回路基板１０６には、出力用のコネクタ１０５が設けられている。
【００９５】
接地端子２３には、口金体８２の接地用接触子７に接続している図示しないリード線がはんだ付けにより接続されている。また、一対の入力端子２４，２４には、口金体８２の一対の給電用接触子８，８にそれぞれ接続している図示しないリード線がそれぞれはんだ付けにより接続されている。これらのリード線は、例えば溶接により、接地用接触子７および一対の給電用接触子８，８にそれぞれ接続されている。
【００９６】
そして、接地端子２３は、回路部品１０７で構成される点灯回路の他、金属の取付け体９５および発光体８５の実装基板９９に図示しないリード線により電気接続されている。
【００９７】
点灯装置８６は、口金体８２の一対の給電用接触子８，８に外部電源（例えばＡＣ１００Ｖ）が入力すると、図示しないリード線を介して外部電源が一対の入力端子２４，２４に供給される。そして、点灯部品１０７により構成された点灯回路が外部電源に応じて動作し、所定の電力（電流）をコネクタ１０５に出力する。コネクタ１０５に出力された電力（電流）は、リード線１０４により発光体８５のＬＥＤ素子１００に供給される。これにより、ＬＥＤ素子１００が点灯して、ＬＥＤ素子１００から白色光が放射される。
【００９８】
上述のように構成されたランプ装置８１は、図１３に示すように、ソケットとしての電源ソケット１０８および保持ソケット１０９を配設している照明器具１１０に取り付けられる。
【００９９】
本実施形態の照明器具１１０は、天井や壁面などの造営物１１１に直付けされる直付け形照明器具であり、ランプ装置８１、電源ソケット１０８および保持ソケット１０９および器具本体１１２を有して形成されている。電源ソケット１０８は、ソケット取付板１１３に取り付けられ、保持ソケット１０９は、保持取付板１１４に取り付けられて、器具本体１１２に設けられている。
【０１００】
器具本体１１２は、例えば１枚の長方形の鉄板を折曲して形成され、平面部１１５およびこの平面部１１５の長手方向の両端に直角に起立して互いに正対するように設けられた側面部１１６，１１６を有している。
【０１０１】
平面部１１５には、木ネジ１１７を通すための複数の通孔１１８および電源コード５１を挿通するための挿通孔１１９が形成されている。挿通孔１１９には、図示しないブッシングが配設されている。そして、挿通孔１１９に対応して、造営物１１１には、挿通孔５６が設けられている。また、平面部１１５には、短手方向両端側に側面部１１６，１１６と同方向を向くようにして複数個の取付片１２０が設けられている。側面部１１６，１１６には、ねじ１２１，１２１を挿通する挿通孔１２２，１２２が形成されている。
【０１０２】
器具本体１１２は、複数個の木ネジ１１７が通孔１１８を通して造営物１１１にねじ込まれて、造営物１１１に固定している。そして、側面部１１６，１１６に、ねじ１２１，１２１によりソケット取付板１１３および保持取付板１１４をそれぞれ取り付けて、電源ソケット１０８および保持ソケット１０９を配設している。ソケット取付板１１３および保持取付板１１４は、電源ソケット１０８および保持ソケット１０９にランプ装置８１を着脱可能に、側面部１１６，１１６に取り付けられている。
【０１０３】
そして、器具本体１１２には、その内側を覆い隠すように、断面略凹形の化粧カバー１２３が配設されている。化粧カバー１２３は、例えば鉄板からなり、ソケット取付板１１３および保持取付板１１４を挿通する不図示の開口がそれぞれ形成されており、複数個の取付片１２０に、ねじ１２１Ａにより取り付けられている。そして、化粧カバー１２３には、図示しない塗膜などが形成されている。
【０１０４】
ランプ装置８１は、口金体８２の不図示の接地用接触子７および一対の給電用接触子８，８が電源ソケット１０８の下方側から電源ソケット１０８に挿入され、ほぼ同時に、保持体９３の不図示の保持子９４が保持ソケット１０９の下方側から保持ソケット１０９に挿入される。そして、ランプ装置８１は、右回りに９０°回転されて、電源ソケット１０８および保持ソケット１０９に取り付けられる。
【０１０５】
なお、本実施形態の照明器具は、直付け形に限らず、埋め込み形や吊り下げ形の照明器具であってもよい。
【０１０６】
電源ソケット１０８は、全体として円柱状に形成され、図１５に示すように、３パーツを組み付けて形成されている。すなわち、電源ソケット１０８は、電源ソケット本体１２４と、この電源ソケット本体１２４内に収納される回転体１２５と、電源ソケット本体１２４に固着される固着体１２６とを有してなる。電源ソケット本体１２４、回転体１２５および固着体１２６は、それぞれ電気絶縁性を有する合成樹脂例えばポリブチレンテレフタレート（ＰＢＴ）樹脂により成形されている。
【０１０７】
電源ソケット本体１２４は、接地用受端子１２７および一対の給電用受端子１２８，１２８を備えて、ソケット取付板１１３に取り付けられる。回転体１２５は、接地用受端子１２７および一対の給電用受端子１２８，１２８と、ランプ装置８１の接地用接触子７および一対の給電用接触子８，８とをそれぞれ電気接続させるように、接地用接触子７および一対の給電用接触子８，８を電源ソケット本体１２４内に案内する。固着体１２６は、回転体１２５を回転可能に電源ソケット本体１２４内に収納させる。
【０１０８】
電源ソケット本体１２４は、一端面１２４ａ側に円柱状の第１の凹部１２９およびこの第１の凹部１２９の底面１３０の中央部に円柱状の第２の凹部１３１を形成している。第１の凹部１２９は、第２の凹部１３１よりも径大に形成され、第２の凹部１３１は、第１の凹部１２９よりも深く形成されている。
【０１０９】
そして、第２の凹部１３１の底面１３２の中央部に接地用受端子１２７を設けている。接地用受端子１２７は、ねじ１３３が接地用受端子１２７に形成した通孔１３４を通って底面１３２に形成したねじ孔１３５にねじ込まれて、底面１３２に取り付けられている。
【０１１０】
また、第１の凹部１２９の底面１３０には、一対の給電用受端子１２８，１２８が設けられている。給電用受端子１２８は、ねじ１３６が給電用受端子１２８に形成した通孔１３７を通って底面１３０に形成したねじ孔１３８にねじ込まれて、底面１３０に取り付けられている。そして、一対の給電用受端子１２８，１２８は、給電用受端子１２７を挟んで設けられ、ランプ装置８１の一対の給電用接触子８，８の間隔と同間隔となるように設けられている。
【０１１１】
接地用受端子１２７および一対の給電用受端子１２８，１２８は、それぞれ導電性を有する金属板例えば銅板や真鍮板からなり、弾性を有するように中間が屈曲されて形成されている。接地用受端子１２７は、ランプ装置８１の接地用接触子７と接触可能に形成され、一対の給電用受端子１２８，１２８は、ランプ装置８１の一対の給電用接触子８，８と接触可能に形成されている。
【０１１２】
そして、給電用受端子１２７には、例えば溶接により、接地線１３９が接続されている。また、一対の給電用受端子１２８，１２８には、例えば溶接により、給電線１４０，１４０が接続されている。接地線１３９および給電線１４０，１４０は、電源ソケット本体１２４に設けられた不図示の導入孔を通って、電源ソケット本体１２４の外部に引き出されている。
【０１１３】
電源ソケット本体１２４は、他端面１２４ｂにおいて、ねじや接着材などによる固定手段でソケット取付板１１３に取り付けられている。ソケット取付板１１３は、図１４に示すように、電源ソケット本体１２４と同じ外径の幅を有し、一辺が半円状である略長方形に形成されている。そして、半円状の一辺と同一面となり、一対の給電用受端子１２８，１２８を結ぶ仮想線がソケット取付板１１３の長手方向と直交するように、ソケット取付板１１３に電源ソケット本体１２４が取り付けられている。ソケット取付板１１３には、ねじ１２１により、器具本体１１２の側面部１１６に取り付けられるためのタップねじ１４１が２個並設されている。
【０１１４】
電源ソケット本体１２４から引き出された接地線１３９および給電線１４０，１４０は、電源コード５１のアース線７６および電源線７７，７７に、リングスリーブなどの接続部品ＣＰ１により接続されている。
【０１１５】
図１５において、回転体１２５は、円柱状であって、電源ソケット本体１２４の第２の凹部１３１の内壁１３１ｂと近接し、電源ソケット本体１２４の一端面１２４ａから突出しない大きさに形成されている。そして、図１６（ａ）に示すように、回転体１２５の一端面（上面）１２５ａには、案内溝１４２が形成されている。案内溝１４２は、回転体１２５の円形の中心１２５ｃに対して１８０°回転対称に形成されている。また、案内溝１４２は、図１６（ｂ）に示すように、断面四角形に形成され、その幅Ｗ１が給電用接触子８の接触板部８ｂの幅よりも幾分大きくなるように形成されている。また、案内溝１４２は、回転体１２５の他端面（下面）１２５ｂが電源ソケット本体１２４の第２の凹部１３１の底面１３２に接触しているときに、その底面１４２ａが電源ソケット本体１２４の第１の凹部１２９の底面１３０とほぼ同一面となるように形成されている。
【０１１６】
そして、案内溝１４２の底面１４２ａから回転体１２５の他端面１２５ｂに至る貫通孔１４３が形成されている。貫通孔１４３は、接地用受端子１２７を収納可能に長方形の柱状に形成され、図１６（ａ）に示すように、回転体１２５の中心１２５ｃに対して１８０回転対称に形成されている。
【０１１７】
回転体１２５の外周面１２５ｄには、図１６（ｃ）に示すように、他端面（下面）１２５ｂから挿入溝１４４が形成されている。挿入溝１４４は、電源ソケット本体１２４の第２の凹部１３１の内壁１３１ｂに設けられた凸部１４５（図１５に示す。）が挿入されるものであり、垂直溝部１４４ａおよびこの垂直溝部１４４ａに連通する水平溝部１４４ｂに形成されている。
【０１１８】
回転体１２５は、挿入溝１４４の垂直溝部１４４ａに凸部１４５が挿入されるようにして、その下面１２５ｂ側が電源ソケット本体１２４の第１の凹部１２９を通過して第２の凹部１３１内に挿入される。このとき、図１４に示すように、回転体１２５の案内溝１４２の長手方向が一対の給電用受端子１２８，１２８を結ぶ仮想線と直交するものである。すなわち、そのようになるように、回転体１２５の外周面１２５ｄに挿入溝１４４が形成されるとともに、電源ソケット本体１２４の第２の凹部１３１の内壁１３１ｂに凸部１４５が設けられている。
【０１１９】
そして、回転体１２５は、凸部１４５が挿入溝１４４の水平溝部１４４ｂに達するまで、第２の凹部１３１に挿入される。そして、凸部１４５が水平溝部１４４ｂに達すると、図１５に示すように、回転体１２５の他端面（下面）１２５ｂが第２の凹部１３１の底面１３２に接触または近接し、回転体１２５の一端面（上面）１２５ａが電源ソケット本体１２４の一端面１２４ａとほぼ同一面となり、案内溝１４２の底面１４２ａが第１の凹部１２９の底面１３０とほぼ同一面上に位置するものである。接地用受端子１２７は、回転体１２５の貫通孔１４３を通過して案内溝１４２内に突出する。こうして、回転体１２５は、凸部１４５により仮固定されるようにして、第１および第２の凹部１２９，１３１内に収納される。
【０１２０】
そして、回転体１２５は、その中心１２５ｃに対して、図１６（ｃ）に示す水平溝部１４４ｂの基端部１４４ｃおよび先端部１４４ｄの範囲で回転する。すなわち、水平溝部１４４ｂは、凸部１４５に対して移動し、凸部１４５が基端部１４４ｃまたは先端部１４４ｄに当接すると移動しなくなる。そして、回転体１２５は、凸部１４５に対して、水平溝部１４４ｂが基端部１４４ｃから先端部１４４ｄに移動すると、右回りに回転する。また、回転体１２５は、凸部１４５に対して、水平溝部１４４ｂが先端部１４４ｄから基端部１４４ｃに移動すると、左回りに回転する。そして、基端部１４４ｃおよび先端部１４４ｄの範囲は、回転体１２５をその中心１２５ｃに対して９０°回転させるように設定されている。
【０１２１】
こうように、挿入溝１４４の水平溝部１４４ｂは、回転体１２５を９０°回転可能にしている。そして、回転体１２５は、当初、右回りに回転され、左回りに回転できないように、電源ソケット本体１２４内に収納されている。
【０１２２】
図１５において、固着体１２６は、電源ソケット本体１２４と同外径を有し、第２の凹部１３１よりも幾分小さい内径の開口１４６を有するリング体に形成され、電源ソケット本体１２４の一端面１２４ａに図示しない接着材により固着されている。固着体１２６は、回転体１２５を第２の凹部１３１から取り外れなくして第２の凹部１３１に収納させている。
【０１２３】
そして、固着体１２６には、回転体１２５の案内溝１４２に連通する切り欠き部１４７が形成されている。また、電源ソケット本体１２４にも、固着体１２６の切り欠き部１４７に対応（位置）し、第１の凹部１２９の底面１３０と同一面となる切り欠き部１４８が形成されている。固着体１２６の切り欠き部１４７および電源ソケット本体１２４の切り欠き部１４８は、図１４に示すように、回転体１２５の案内溝１４２が一対の給電用受端子１２８，１２８と直交しているときに案内溝１４２に連通するように形成されているとともに、案内溝１４２と同幅に形成されている。
【０１２４】
ランプ装置８１の接地用接触子７および一対の給電用接触子８，８は、図１７に示すように、固着体１２６の切り欠き部１４７および電源ソケット本体１２４の切り欠き部１４８を介して回転体１２５の案内溝１４２に挿入される。接地用接触子７は、接地用受端子１２７に接触し、一対の給電用接触子８，８は、電源ソケット本体１２４の第１の凹部１２９内に位置する。そして、ランプ装置８１を右回りに回転させると、図１８に示すように、回転体１２５が９０°回転して、一対の給電用接触子８，８が一対の給電用受端子１２８，１２８にそれぞれ接触する。
【０１２５】
回転体１２５は、図１９に示すように、接地用接触子７が接地用受端子１２７に接触している状態で、接地用受端子１２７を中心として回転する。また、回転体１２５は、ランプ装置８１の一対の給電用接触子８，８の曲板部８ａ，８ａが案内溝１４２の内壁１４９，１４９に当接し、ランプ装置８１の回転に応じて回転する。そして、回転体１２５が９０°回転すると、ランプ装置８１の一対の給電用接触子８，８の接触板部８ｂ，８ｂが給電用受端子１２８，１２８に乗り上げて接触する。
【０１２６】
図２１において、保持ソケット１０９は、全体として電源ソケット１０８と同等の大きさを有する円柱状に形成され、３パーツを組み付けて形成されている。すなわち、保持ソケット１０９は、保持ソケット本体１５０と、この保持ソケット本体１５０内に収納される回転体１５１と、保持ソケット本体１５０内に固着される底部体１５２とを有してなる。保持ソケット本体１５０、回転体１５１および底部体１５２は、それぞれ電気絶縁性を有する合成樹脂例えばポリブチレンテレフタレート（ＰＢＴ）樹脂により成形されている。
【０１２７】
保持ソケット本体１５０は、底部１５３を有する円筒状に形成され、底部１５３に円形状の開口１５４が形成さている。回転体１５１は、保持ソケット本体１５０内に近接して嵌め込まれる円柱状に形成され、ランプ装置８１の保持体８３の保持子９４が挿入される案内孔１５５が設けられている。案内孔１５５は、保持子９４を挿入可能に保持子９４より幾分大きい寸法で略長方形に形成されている。底部体１５２は、保持ソケット本体１５０内に嵌め込まれる円柱状に形成され、保持ソケット本体１５０の一端面１５０ａと同一面となるように保持ソケット本体１５０内に図示しない接着材により固着されている。そして、底部体１５２は、保持ソケット本体１５０の底部１５３との間で回転体１５１を回転可能に挟み込んでいる。
【０１２８】
保持ソケット本体１５０は、その一端面１５０ａが保持取付板１１４にねじや接着材などによる固定手段で固定されている。保持取付板１１４は、ソケット取付板１１３と同様に形成され、タップねじ１５６に螺着されるねじ１２１（図１３に示す。）により器具本体１１２に取り付けられている。
【０１２９】
そして、保持ソケット本体１５０には、保持取付板１１４の長手方向に沿うように、回転体１５１の案内孔１５５に連通する切り欠き部１５７が形成されている。切り欠き部１５７は、案内孔１５５の底面１５５ａと同一面となるように形成され、図２０に示すように、案内孔１５５と同幅に形成されている。
【０１３０】
ランプ装置８１の保持子９４は、接地用接触子７および一対の給電用接触子８，８が電源ソケット１０８の回転体１２５の案内溝１４２に挿入されると同時に、図２２（ａ）に示すように、保持ソケット本体１５０の切り欠き部１５７を介して回転体１５１の案内孔１５５に挿入される。そして、ランプ装置８１が右回りに回転すると、保持子９４が案内孔１５５の内壁に当接することにより、図２２（ｂ）に示すように、回転体１５１が９０°回転する。これにより、保持子９４は、案内孔１５５から取り外れなくなる。
【０１３１】
なお、ランプ装置８１の回転範囲および回転方向の規制は、電源ソケット１０８側に設けられているので、保持ソケット１０９には設けられていない。
【０１３２】
次に、本発明の第２の実施形態の作用について述べる。
【０１３３】
ランプ装置８１は、ソケット取付板１１３および保持取付板１１４のそれぞれの下方側から口金体８２が電源ソケット１０８に、保持体８３が保持ソケット１０９にほぼ同時に取り付けられる。すなわち、口金体８２の接地用接触子７および一対の給電用接触子８，８は、電源ソケット１０８において、固着体１２６の切り欠き部１４７および電源ソケット本体１２４の切り欠き部１４８を介して回転体１２５の案内溝１４２に挿入される。また、保持体８３の保持子９４は、保持ソケット１０９において、保持ソケット本体１５０の切り欠き部１５７を介して回転体１５１の案内孔１５５に挿入される。
【０１３４】
口金体８２の接地用接触子７および一対の給電用接触子８，８は、接地用接触子７が回転体１２５の案内溝１４２の底面１４２ａに接触または近接するようにして、案内溝１４２に挿入される。一対の給電用接触子８，８の底板８７からの突出長Ｌ１は、接地用接触子７の底板８７からの突出長Ｌ２よりも小さいので、先に案内溝１４２に挿入された一方の給電用接触子８は、案内溝１４２内に突出している電源ソケット１０８の接地用給電子１２７に当接することなく、案内溝１４２に挿入する。接地用接触子７および一対の給電用接触子８，８は、一方の給電用接触子８の曲板部８ａが固着体１２６の開口１４６の内壁に当接するまで挿入される。
【０１３５】
そして、接地用接触子７は、一方の給電用接触子８が固着体１２６の開口１４６の内壁に当接する直前に、接地用給電子１２７に当接して接地用給電子１２７を弾性変形させ、一方の給電用接触子８が開口１４６の内壁に当接したときには図１７に示すように、接地用給電子１２７に乗り上げて接地用給電子１２７を押圧する。これにより、口金体８２の接地用接触子７は、電源ソケット１０８の接地用給電子１２７に電気接続され、接地線１３９を介して電源コード５１のアース線７６に接続される。
【０１３６】
そして、接地用給電子１２７の弾性復帰力によって接地用接触子７が押圧されることにより、一対の給電用接触子８，８は、その接触板部８ｂ，８ｂが固着体１２６に当接する。また、このときには、保持体８３の保持子９４は、保持ソケット１０９の回転体１５１の挿入孔１５５に完全に挿入される。
【０１３７】
そして、ランプ装置８１の例えば外囲器８４を手で掴んでランプ装置８１を右回りに回転させると、口金体８２の一対の給電用接触子８，８は、接地用接触子７が接地用給電子１２７に弾性的に接触した状態で、接地用接触子７を中心として右回りに回転する。一対の給電用接触子８，８は、その曲板部８ａ，８ａが案内溝１４２の内壁１４９，１４９に当接して回転体１２５を回転させ、その接触板部８ｂ，８ｂが電源ソケット本体１２４の第１の凹部１２９内で固着体１２６を擦るようにして移動する。
【０１３８】
そして、ランプ装置８１が９０°回転したときには、一対の給電用接触子８，８の接触板部８ｂ，８ｂは、図１９に示すように、電源ソケット１０８の一対の給電用受端子１２８，１２８に乗り上げて一対の給電用受端子１２８，１２８を押圧する。これにより、口金体８２の一対の給電用給電子８，８は、電源ソケット１０８の一対の給電用給電子１２８，１２８に電気接続され、給電線１４０，１４０を介して電源コード５１の電源線７７，７７に接続される。
【０１３９】
そして、ランプ装置８１が９０°回転すると、保持体８３の保持子９４も前記回転に応じて９０°回転する。この保持子９４の回転により、保持ソケット１０９の回転体１５１は、９０°回転する。これにより、回転体１５１の挿入孔１５５が保持ソケット本体１５０の切り欠き部１５７に連通しなくなり、保持子９４が回転体１５１から脱落しなくなる。
【０１４０】
こうして、ランプ装置８１は、その口金体８２が電源ソケット１０８に取り付けられ、その保持体８３が保持ソケット１０９に取り付けられる。そして、一対の給電用接触子８，８が電源ソケット１０８を介して電源コード５１の電源線７７，７７に接続され、点灯装置８６の一対の入力端子２４，２４に外部電源を供給可能となる。
【０１４１】
また、接地用接触子７が電源ソケット１０８を介して電源コード５１のアース線７６に接続され、点灯装置８６の接地端子２４が接地される。これにより、点灯装置８６、金属製の取付け体９５および発光体８５が接地される。
【０１４２】
本実施形態のランプ装置８１によれば、透光性を有する円筒状の外囲器８４に点灯装置８６を収納し、発光体８５を配設するので、点灯装置８６を別に設ける必要がなく、かつ、口金体８２の一対の給電用接触子８，８は、接地用接触子７よりも小さい突出長Ｌ２で口金本体８８の底板８７から外方に突出しているので、口金体８２が電源ソケット１０８に取り付けられるときに、接地用接触子７が接地された状態で一対の給電用接触子８，８に給電させることができ、これにより、点灯装置８６の漏電等による電気事故を防止できるという効果を有する。
【０１４３】
そして、本実施形態の照明器具１１０によれば、接地用受端子１２７にランプ装置８１の接地用接触子７が電気接続された状態で、一対の給電用受端子１２８，１２８にランプ装置８１の一対の給電用接触子８，８が電気接続されるように形成された電源ソケット１０８を具備するので、ランプ装置８１を接地した状態で電源ソケット１０８および保持ソケット１０９に取り付けることができ、当該取付時の感電や漏電等による電気事故を防止できるという効果を有する。
【０１４４】
また、ランプ装置８１の口金体８２は、一対の給電用接触子８，８が接地用接触子７よりも小さい突出長Ｌ１で底板８７から外方に突出するように形成され、電源ソケット１０８は、一対の給電用接触子８，８が接地用受端子１２７に接触することなく一対の給電用接触子８，８および接地用接触子７を案内する案内手段としての案内溝１４２を備えて、ランプ装置８１が右回りに回転されることにより、接地用受端子１２７に接地用接触子７が電気接続された状態で、一対の給電用接触子８，８が一対の給電用受端子１２８，１２８に接触して電気接続するように形成されているので、ランプ装置８１を電源ソケット１０８および保持ソケット１０９に取り付けるときに、接地用接触子７が一対の給電用受端子１２８，１２８に接触することを防止することができて感電等の電気事故を防止できるという効果を有する。
【符号の説明】
【０１４５】
１，８１…ランプ装置、  ２，８２…口金体、  ３，８６…点灯装置、  ４，８５…発光体、  ５，８４…外囲器、  ６，８８…口金本体、  ７…接地用接触子、  ８，８…一対の給電用接触子、  ２３…接地部としての接地端子、  ２４，２４…一対の入力部としての一対の入力端子、  ３７…発光素子としてのＬＥＤベアチップ、  ４２…ソケット、  ４３，１１０…照明器具、  ４５，１１２…器具本体、  ６４…案内手段としての挿入孔、  ６５，６５…案内手段としての一対の挿入孔、  ６６，６６…案内手段としての一対の案内孔、  １００…発光素子としてのＬＥＤ素子、  １０８…ソケットとしての電源ソケット、  １０９…ソケットとしての保持ソケット、  １４２…案内手段としての案内溝
【図１】
2014049188.tif 000003
【図２】
2014049188.tif 000004
【図３】
2014049188.tif 000005
【図４】
2014049188.tif 000006
【図５】
2014049188.tif 000007
【図６】
2014049188.tif 000008
【図７】
2014049188.tif 000009
【図８】
2014049188.tif 000010
【図９】
2014049188.tif 000011
【図１０】
2014049188.tif 000012
【図１１】
2014049188.tif 000013
【図１２】
2014049188.tif 000014
【図１３】
2014049188.tif 000015
【図１４】
2014049188.tif 000016
【図１５】
2014049188.tif 000017
【図１６】
2014049188.tif 000018
【図１７】
2014049188.tif 000019
【図１８】
2014049188.tif 000020
【図１９】
2014049188.tif 000021
【図２０】
2014049188.tif 000022
【図２１】
2014049188.tif 000023
【図２２】
2014049188.tif 000024